(57)【要約】【課題】ＧＰＳ受信機を利用することなく、データの機密性の向上を図ることが可能なクラウドプリンティングシステムを提供する。【解決手段】複合機２で印刷指示情報Ｊ１から携帯端末１の識別情報ｄ１を抽出して、携帯端末１の識別情報ｄ１等を示す第２要求情報Ｋ２を生成し、第２要求情報Ｋ２をクラウドネットワークＮを通じて認証管理サーバ３へと送信し、また携帯端末１で携帯端末１の識別情報ｄ１等を示す第１要求情報Ｋ１を生成し、第１要求情報Ｋ１をクラウドネットワークＮを通じて認証管理サーバ３へと送信し、認証管理サーバ３で第１要求情報Ｋ１の識別情報ｄ１と第２要求情報Ｋ２の識別情報ｄ１とを照合して、両者の識別情報ｄ１が一致するときにだけ、認証管理サーバ３からクラウドネットワークＮを通じて複合機２へと印刷データｐｄを送受している。【選択図】図１
2015114904.tif 000002
【特許請求の範囲】
【請求項１】
携帯端末と、サーバと、画像形成装置とを備え、前記携帯端末、前記サーバ、及び前記画像形成装置をネットワークを通じて接続するクラウドプリンティングシステムであって、
前記携帯端末は、前記ネットワークを通じてデータ通信を行う第１ネットワーク通信部と、前記ネットワークとは異なる回線を通じてデータ通信を行う第１回線通信部と、前記画像形成装置に対するデータ供給を示す第１要求情報を前記第１ネットワーク通信部から前記サーバに送信すると共に、前記データ供給に係る指示情報を前記第１回線通信部から前記画像形成装置に送信する第１制御部とを備え、
前記画像形成装置は、前記ネットワークを通じてデータ通信を行う第２ネットワーク通信部と、前記回線を通じてデータ通信を行う第２回線通信部と、前記携帯端末から送信されて前記第２回線通信部で受信された前記指示情報に応答して、前記画像形成装置に対するデータ供給を示す第２要求情報を前記第２ネットワーク通信部から前記サーバに送信する第２制御部とを備え、
前記サーバは、前記ネットワークを通じてデータ通信を行う第３ネットワーク通信部と、前記携帯端末から送信されて前記第３ネットワーク通信部で受信された前記第１要求情報と前記画像形成装置から送信されて前記第３ネットワーク通信部で受信された前記第２要求情報とを照合し、この照合結果に基づきデータを前記ネットワーク通信部及び前記ネットワークを通じて前記画像形成装置に送信する第３制御部とを備えたことを特徴とするクラウドプリンティングシステム。
【請求項２】
請求項１に記載のクラウドプリンティングシステムであって、
前記第１要求情報及び前記第２要求情報は、前記携帯端末の識別情報を共に含み、
前記第３制御部は、前記前記第１要求情報に含まれる前記識別情報と前記前記第２要求情報に含まれる前記識別情報とを照合することを特徴とするクラウドプリンティングシステム。
【請求項３】
請求項２に記載のクラウドプリンティングシステムであって、
前記指示情報には前記識別情報が含まれ、
前記第２制御部は、前記指示情報から前記識別情報を抽出して前記第２要求情報に付加し、前記第２要求情報を前記第２ネットワーク通信部から前記サーバに送信することを特徴とするクラウドプリンティングシステム。
【請求項４】
請求項１から３のいずれか１つに記載のクラウドプリンティングシステムであって、
前記回線は、近距離無線通信回線であることを特徴とするクラウドプリンティングシステム。
【請求項５】
請求項１から４のいずれか１つに記載のクラウドプリンティングシステムであって、
前記第２制御部は、前記サーバから送信されて前記第２ネットワーク通信部で受信された前記データが前記画像形成装置から出力されるまでに前記画像形成装置と前記携帯端末との間の前記回線が遮断されると、前記データの受信又は出力を中止することを特徴とするクラウドプリンティングシステム。
【請求項６】
請求項１から５のいずれか１つに記載のクラウドプリンティングシステムであって、
前記第３制御部は、前記第２要求情報が前記第３ネットワーク通信部で受信されても、前記第１要求情報が前記第３ネットワーク通信部で受信されなかった場合に、前記ネットワークにおいて前記携帯端末が不通状態にあるとみなすことを特徴とするクラウドプリンティングシステム。
【請求項７】
画像形成装置に対するデータ供給を携帯端末からネットワークを通じてサーバに要求し、この要求に応答して前記サーバから前記ネットワークを通じて前記画像形成装置へとデータを供給するクラウドプリンティング方法であって、
前記携帯端末は、前記画像形成装置に対するデータ供給を示す第１要求情報を前記ネットワークを通じて前記サーバに送信すると共に、前記データ供給に係る指示情報を前記回線を通じて前記画像形成装置に送信し、
前記画像形成装置は、前記指示情報を前記回線を通じて受信すると、前記画像形成装置に対するデータ供給を示す第２要求情報を前記ネットワークを通じて前記サーバに送信し、
前記サーバは、前記第１要求情報及び前記第２要求情報を前記ネットワークを通じて受信すると、前記第１要求情報と前記第２要求情報とを照合し、この照合結果に基づきデータを前記ネットワークを通じて前記画像形成装置に送信することを特徴とするクラウドプリンティング方法。
【発明の詳細な説明】
【技術分野】
【０００１】
本発明は、画像形成装置に対するデータ供給を携帯端末からネットワークを通じてサーバに要求し、この要求に応答してサーバからネットワークを通じて画像形成装置へとデータを供給するクラウドプリンティングシステム及びクラウドプリンティング方法に関する。
【背景技術】
【０００２】
例えば、特許文献１では、認証管理サーバが、登録済みの携帯端末からＧＰＳデータを取得し、携帯端末のＧＰＳデータと予め登録されている複数の画像形成装置のＧＰＳデータとを照合して、携帯端末近傍の画像形成装置を検索し、携帯端末からの印刷指示に対応する文書情報データをその検索した画像形成装置に転送して、文書情報データを画像形成装置から印刷出力させている。
【０００３】
また、特許文献２では、ジョブ管理サーバ装置が、携帯端末装置から識別情報及び印刷データを受信して、識別情報及び印刷データを対応付けて格納しておき、画像形成装置側の近距離通信部が周囲の携帯端末装置の識別情報を取得して、識別情報を画像形成装置からジョブ管理サーバ装置へと送受し、これに応答して識別情報に対応する印刷データをジョブ管理サーバ装置から画像形成装置へと転送し、印刷データを画像形成装置から印刷出力させている。
【先行技術文献】
【特許文献】
【０００４】
【特許文献１】特開２００９−４２８０７号公報
【特許文献２】特開２０１２−１３８０７５号公報
【発明の概要】
【発明が解決しようとする課題】
【０００５】
しかしながら、特許文献１では、複数の画像形成装置のＧＰＳデータを予め登録しておく必要があって、各画像形成装置にそれぞれのＧＰＳ受信機を搭載せねばならない。また、画像形成装置が屋内に設置されるため、携帯端末のＧＰＳ受信機及び画像形成装置のＧＰＳ受信機によるＧＰＳ衛星の電波受信が困難となり、携帯端末近傍の画像形成装置を検索することができるとは限らなかった。
【０００６】
また、特許文献２では、利用者が携帯端末装置を紛失して、携帯端末装置の利用を休止した場合でも、画像形成装置側の近距離通信部により携帯端末装置の識別情報が取得されると、識別情報に対応する印刷データがジョブ管理サーバ装置から画像形成装置へと転送されるため、印刷データの機密性を保つことができなかった。
【０００７】
そこで、本発明は、上記従来の問題点に鑑みなされたものであり、ＧＰＳ受信機を利用することなく、データの機密性の向上を図ることが可能なクラウドプリンティングシステム及びクラウドプリンティング方法を提供することを目的とする。
【課題を解決するための手段】
【０００８】
上記課題を解決するために、本発明のクラウドプリンティングシステムは、携帯端末と、サーバと、画像形成装置とを備え、前記携帯端末、前記サーバ、及び前記画像形成装置をネットワークを通じて接続するクラウドプリンティングシステムであって、前記携帯端末は、前記ネットワークを通じてデータ通信を行う第１ネットワーク通信部と、前記ネットワークとは異なる回線を通じてデータ通信を行う第１回線通信部と、前記画像形成装置に対するデータ供給を示す第１要求情報を前記第１ネットワーク通信部から前記サーバに送信すると共に、前記データ供給に係る指示情報を前記第１回線通信部から前記画像形成装置に送信する第１制御部とを備え、前記画像形成装置は、前記ネットワークを通じてデータ通信を行う第２ネットワーク通信部と、前記回線を通じてデータ通信を行う第２回線通信部と、前記携帯端末から送信されて前記第２回線通信部で受信された前記指示情報に応答して、前記画像形成装置に対するデータ供給を示す第２要求情報を前記第２ネットワーク通信部から前記サーバに送信する第２制御部とを備え、前記サーバは、前記ネットワークを通じてデータ通信を行う第３ネットワーク通信部と、前記携帯端末から送信されて前記第３ネットワーク通信部で受信された前記第１要求情報と前記画像形成装置から送信されて前記第３ネットワーク通信部で受信された前記第２要求情報とを照合し、この照合結果に基づきデータを前記ネットワーク通信部及び前記ネットワークを通じて前記画像形成装置に送信する第３制御部とを備えている。
【０００９】
このようなクラウドプリンティングシステムでは、画像形成装置に対するデータ供給を示す第１要求情報が携帯端末からネットワークを通じてサーバへと送受され、データ供給に係る指示情報が携帯端末から回線を通じて画像形成装置へと送受され、この指示情報に応答して画像形成装置に対するデータ供給を示す第２要求情報が画像形成装置からネットワークを通じてサーバへと送受される。そして、サーバ側で携帯端末からの第１要求情報と画像形成装置からの第２要求情報とが照合され、この照合結果に基づきデータがサーバからネットワークを通じて画像形成装置へと送受される。従って、サーバは、携帯端末からの第１要求情報と画像形成装置からの第２要求情報とを受信して照合することができなければ、データを画像形成装置に送信することはなく、第１要求情報と第２要求情報との照合結果に不備があっても、データを画像形成装置に送信することはい。これにより、データの機密性が保持される。また、利用者が携帯端末を紛失して、携帯端末の利用を中止した場合は、第１要求情報が携帯端末からネットワークを通じてサーバへと送受されることはなく、データがサーバからネットワークを通じて画像形成装置へと送受されることもなく、データの機密性が保持される。更に、携帯端末によるデータの送受が行われないので、携帯端末の課金料金が高くなることはない。
【００１０】
また、本発明のクラウドプリンティングシステムにおいては、前記第１要求情報及び前記第２要求情報は、前記携帯端末の識別情報を共に含み、前記第３制御部は、前記前記第１要求情報に含まれる前記識別情報と前記前記第２要求情報に含まれる前記識別情報とを照合している。この場合は、前記指示情報には前記識別情報が含まれ、前記第２制御部は、前記指示情報から前記識別情報を抽出して前記第２要求情報に付加し、前記第２要求情報を前記第２ネットワーク通信部から前記サーバに送信してもよい。
【００１１】
このように携帯端末の識別情報を、携帯端末から回線を通じて画像形成装置へと送受される指示情報に付加しておけば、画像形成装置は、指示情報から識別情報を取得して、この識別情報を第２要求情報に付加することができる。
【００１２】
更に、本発明のクラウドプリンティングシステムにおいては、前記回線は、近距離無線通信回線である。
【００１３】
近距離無線通信としては、ＷｉＦｉ（Wireless Fidelity）、赤外線通信や、赤外線通信よりも通信距離が長いブルートゥース（Bleutooth）等がある。
【００１４】
また、本発明のクラウドプリンティングシステムにおいては、前記第２制御部は、前記サーバから送信されて前記第２ネットワーク通信部で受信された前記データが前記画像形成装置から出力されるまでに前記画像形成装置と前記携帯端末との間の前記回線が遮断されると、前記データの受信又は出力を中止している。
【００１５】
この場合は、画像形成装置側のデータの受信又は出力の途中で、携帯端末と画像形成装置との間の回線が遮断されるほど携帯端末の利用者が画像形成装置から遠く離れると、データの受信又は出力が中止されるので、データの機密性が保持される。
【００１６】
更に、本発明のクラウドプリンティングシステムにおいては、前記第３制御部は、前記第２要求情報が前記第３ネットワーク通信部で受信されても、前記第１要求情報が前記第３ネットワーク通信部で受信されなかった場合に、前記ネットワークにおいて前記携帯端末が不通状態にあるとみなしている。
【００１７】
例えば、利用者が携帯端末を紛失して、携帯端末の利用が中止されているにもかかわらず、他の人がその携帯端末を不正利用している場合に、携帯端末が不通状態にあるとみなされる。
【００１８】
次に、本発明のクラウドプリンティング方法は、画像形成装置に対するデータ供給を携帯端末からネットワークを通じてサーバに要求し、この要求に応答して前記サーバから前記ネットワークを通じて前記画像形成装置へとデータを供給するクラウドプリンティング方法であって、前記携帯端末は、前記画像形成装置に対するデータ供給を示す第１要求情報を前記ネットワークを通じて前記サーバに送信すると共に、前記データ供給に係る指示情報を前記回線を通じて前記画像形成装置に送信し、前記画像形成装置は、前記指示情報を前記回線を通じて受信すると、前記画像形成装置に対するデータ供給を示す第２要求情報を前記ネットワークを通じて前記サーバに送信し、前記サーバは、前記第１要求情報及び前記第２要求情報を前記ネットワークを通じて受信すると、前記第１要求情報と前記第２要求情報とを照合し、この照合結果に基づきデータを前記ネットワークを通じて前記画像形成装置に送信している。
【００１９】
このような本発明のクラウドプリンティング方法においても、上記本発明のクラウドプリンティングシステムと同様の作用効果を奏する。
【発明の効果】
【００２０】
本発明によれば、画像形成装置に対するデータ供給を示す第１要求情報が携帯端末からネットワークを通じてサーバへと送受され、データ供給に係る指示情報が携帯端末から回線を通じて画像形成装置へと送受され、この指示情報に応答して画像形成装置に対するデータ供給を示す第２要求情報が画像形成装置からネットワークを通じてサーバへと送受される。そして、サーバ側で携帯端末からの第１要求情報と画像形成装置からの第２要求情報とが照合され、この照合結果に基づきデータがサーバからネットワークを通じて画像形成装置へと送受される。従って、サーバは、携帯端末からの第１要求情報と画像形成装置からの第２要求情報とを受信して照合することができなければ、データを画像形成装置に送信することはなく、第１要求情報と第２要求情報との照合結果に不備があっても、データを画像形成装置に送信することはい。これにより、データの機密性が保持される。また、利用者が携帯端末を紛失して、携帯端末の利用を中止した場合は、第１要求情報が携帯端末からネットワークを通じてサーバへと送受されることはなく、データがサーバからネットワークを通じて画像形成装置へと送受されることもなく、データの機密性が保持される。更に、携帯端末によるデータの送受が行われないので、携帯端末の課金料金が高くなることはない。
【図面の簡単な説明】
【００２１】
【図１】本発明のクラウドプリンティングシステムの第１実施形態を示すブロック図である。
【図２】図１のクラウドプリンティングシステムにおける認証管理サーバの外部記憶装置内のデータベースを概念的に示す図である。
【図３】第１実施形態において複合機に対するデータ供給の要求が携帯端末より出されてからデータが認証管理サーバより複合機へと送受されて供給されるまでの手順を示すフローチャートである。
【図４】第２実施形態において複合機に対するデータ供給の要求が携帯端末より出されてからデータが認証管理サーバより複合機へと送受されて供給されるまでの手順を示すフローチャートである。
【図５】第３実施形態において複合機に対するデータ供給の要求が携帯端末より出されてからデータが認証管理サーバより複合機へと送受されて供給されるまでの手順を示すフローチャートである。
【発明を実施するための形態】
【００２２】
以下、本発明の実施形態を添付図面に基づき詳細に説明する。
【００２３】
図１は、本発明のクラウドプリンティングシステムの第１実施形態を示すブロック図である。図１に示すようにクラウドプリンティングシステムＳｙは、携帯端末１と、複合機（ＭＦＰ）２と、認証管理サーバ３とを備えており、クラウドネットワークＮを通じて携帯端末１と認証管理サーバ３との間でデータ通信を行ったり、クラウドネットワークＮを通じて複合機２と認証管理サーバ３との間でデータ通信を行ったり、クラウドネットワークＮとは異なる他種類の回線ｎを通じて携帯端末１と複合機２との間でデータ通信を行ったりする。
【００２４】
ここでは、単一の携帯端末１を示しているが、複数の携帯端末１を設けても構わない。複数の携帯端末１を設けた構成であっても、各携帯端末１にそれぞれの識別情報を割り当てれば、複合機２及び認証管理サーバ３がその識別情報に基づき携帯端末１を識別することができる。また、単一の複合機２を示しているが、複数の複合機２を設けてもよい。複数の複合機２を設けた構成であっても、各複合機２にそれぞれの識別情報を割り当てれば、携帯端末１や認証管理サーバ３がその識別情報に基づき複合機２を識別することができる。
【００２５】
クラウドネットワークＮは、公衆電話回線、携帯電話回線などの移動通信システムや無線通信システム、インターネット等からなる。また、回線ｎは、ＷｉＦｉ（Wireless Fidelity）を用いた無線通信回線である。尚、回線ｎは、通信エリアを狭く限定することができるのであれば、ブルートゥース（Bleutooth）、赤外線通信等を用いた他の種類の無線通信回線であってもよい。
【００２６】
携帯端末１は、例えば携帯電話機であり、制御部１１、表示部１２、記憶部１３、操作入力部１４、ネットワーク通信部１５、及び近距離通信部１６等を備えている。制御部１１は、必要なプログラム等を実行して、携帯端末１全体を制御する。記憶部１３は、制御部１１により実行されるプログラムのワークエリアとして機能するＲＡＭ、及び各種の制御プログラムやアプリケーションプログラム、データベース等が格納されているＨＤＤ等の不揮発性メモリからなる。
【００２７】
表示部１２は、液晶表示装置等である。制御部１１は、記憶部１３の表示メモリ領域にテキストや画像等を展開し、この展開したテキストや画像等を表示部１２に表示させる。
【００２８】
ネットワーク通信部１５は、クラウドネットワークＮを通じて携帯端末１と認証管理サーバ３との間でデータ通信を行ったり、他の携帯端末との間で音声通信を行ったりするものである。近距離通信部１６は、回線ｎを通じて、携帯端末１と該携帯端末１周辺に位置する複合機２等の他の端末との間でデータ通信を行うものである。
【００２９】
操作入力部１４は、複数の操作キーを有し、操作キーの操作に応じた入力指示を制御部１１に出力する。例えば、制御部１１は、操作入力部１４からの入力指示に応答してネットワーク通信部１５を制御して、ネットワーク通信部１５をクラウドネットワークＮを通じてサーバ等に接続し、携帯端末１とサーバ等との間のデータ通信を可能にしたり、あるいはネットワーク通信部１５をクラウドネットワークＮを通じて他の携帯端末に接続し、携帯端末１と他の携帯端末との間の音声通信を可能にしたりする。
【００３０】
複合機２は、例えば複写機能、ファクシミリ機能、及びプリンタ機能を有するものであり、制御部２１、表示部２２、記憶部２３、操作入力部２４、印刷部２５、画像読取り部２６、ネットワーク通信部２７、及び近距離通信部２８等を備えている。制御部２１は、必要なプログラム等を実行して、複合機２全体を制御する。記憶部２３は、制御部２１により実行されるプログラムのワークエリアとして機能するＲＡＭ、及び各種の制御プログラム、アプリケーションプログラム、画像データ等が格納されているＨＤＤ等の不揮発性メモリからなる。
【００３１】
表示部２２は、液晶表示装置、ＣＲＴ、ＥＬ表示装置等、如何なる種類のものであってもよく、また複合機２に一体化された小型のものであっても、また複合機２に接続された大型のものであってもよい。
【００３２】
画像読取り部２６は、原稿の画像を読取るものである。印刷部２５は、例えば電子写真方式により画像を記録用紙に印刷して記録するものであり、画像読取り部２６により読取られた原稿の画像を記録用紙に印刷したり、クラウドネットワークＮを通じて送信されて来てネットワーク通信部２７で受信された画像を記録用紙に印刷して、記録用紙を出力したりする。
【００３３】
操作入力部２４は、複数の操作キー及び表示部２２の画面に重ねられたタッチパネルを有し、操作キーやタッチパネルの操作に応じた入力指示を制御部２１に出力する。例えば、制御部２１は、操作入力部２４からの入力指示に応答して画像読取り部２６を制御して、画像読取り部２６により原稿の画像を読取らせ、印刷部２５を制御して、印刷部２５により原稿の画像を記録用紙に印刷させる。
【００３４】
ネットワーク通信部２７は、クラウドネットワークＮを通じて複合機２とサーバ等との間でデータ通信を行うものである。近距離通信部２８は、回線ｎを通じて複合機２と携帯端末１等の他の端末との間でデータ通信を行うものである。
【００３５】
認証管理サーバ３は、制御部３１、記憶部３２、ネットワーク通信部３３等を備えている。制御部３１は、必要なプログラム等を実行して、認証管理サーバ３全体を制御するものであり、比較認証部３１ａ及びデータ検索部３１ｂを有している。記憶部３２は、制御部３１により実行されるプログラムのワークエリアとして機能するＲＡＭ、及び各種の制御プログラムやアプリケーションプログラム、データベース等が格納されているＨＤＤ等の不揮発性メモリからなる。
【００３６】
ネットワーク通信部３３は、クラウドネットワークＮを通じて認証管理サーバ３と複合機２、携帯端末１、他のサーバ等との間でデータ通信を行うものである。
【００３７】
このような構成のクラウドプリンティングシステムＳｙにおいて、複合機２に対するデータ供給が携帯端末１からクラウドネットワークＮを通じて認証管理サーバ３へと要求されると、データが認証管理サーバ３からクラウドネットワークＮを通じて複合機２へと送受され、複合機２によりデータが記録用紙に印刷されて出力される。従って、携帯端末１に対してはデータの送受が行われず、携帯端末１の課金料金が高くなることはない。
【００３８】
また、そのような認証管理サーバ３から複合機２へのデータの送受に先立ち、携帯端末１の識別情報が携帯端末１からクラウドネットワークＮを通じて認証管理サーバ３へと送受されると共に、携帯端末１の識別情報が携帯端末１から回線ｎ、複合機２、及びクラウドネットワークＮを通じて認証管理サーバ３へと送受されて、認証管理サーバ３によりそれらの識別情報が照合され、これらの識別情報が一致したときにだけ、データが認証管理サーバ３からクラウドネットワークＮを通じて複合機２へと送受されるようにしている。これにより、データの機密性の向上が図られている。
【００３９】
次に、複合機２に対するデータ供給の要求が携帯端末１より出されてからデータが認証管理サーバ３から複合機２へと送受されて供給されるまでの手順等を詳しく説明する。
【００４０】
ここで、認証管理サーバ３における記憶部３２内のデータベースＤについて説明する。図２は、記憶部３２内のデータベースＤの一例を概念的に示す図である。図２に示すようにデータベースＤは、例えばクラウドネットワークＮ上の携帯端末１のアドレスからなる識別情報ｄ１が登録された携帯識別テーブルＴと、携帯端末１の識別情報ｄ１が付されたファイルＦｉとからなる。携帯端末１が複数あれば、各携帯端末１の識別情報ｄ１が携帯識別テーブルＴに登録され、これらの識別情報ｄ１が付された複数のファイルＦｉが生成される。ファイルＦｉには、印刷データｐｄや、クラウドネットワークＮ上の印刷データｐｄが収納されているファイル（図示せず）を示すＵＲＬ（Uniform Resource Locator）等が格納されている。制御部３１の比較認証部３１ａは、携帯端末１の識別情報ｄ１を指示されると、識別情報ｄ１が識別テーブルＴｄに登録されているか否かを判定する。制御部３１のデータ検索部３１ｂは、比較認証部３１ａにより識別情報ｄ１が登録されていると判定されると、その識別情報ｄ１が付されたファイルＦｉを検索し、このファイルＦｉから印刷データｐｄを読み出して取得したり、このファイルＦｉからＵＲＬを読み出して、ネットワーク通信部３３を通じてクラウドネットワークＮ上のＵＲＬに対応するファイル（図示せず）を検索し、このファイルから印刷データｐｄを読み出して取得したりする。印刷データｐｄは、テキストデータ、画像データ等、如何なる種類のものであっても構わない。
【００４１】
図３は、複合機２に対するデータ供給の要求が携帯端末１より出されてからデータが認証管理サーバ３より複合機２へと送受されて供給されるまでの手順を示すフローチャートである。まず、携帯端末１の利用者は、携帯端末１の操作入力部１４を操作することによりクラウドネットワークＮ上のデータ資源を検索して印刷出力するためのアプリケーションプログラムの起動を指示する。これに応答して携帯端末１の制御部１１は、そのアプリケーションプログラムを記憶部１３から読出して実行し、データ資源の検索及び印刷出力の処理を開始する（ステップＳ１０１）。
【００４２】
制御部１１は、処理を開始すると、ネットワーク通信部１５をクラウドネットワークＮを通じて認証管理サーバ３に接続し、クラウドネットワークＮ上のデータ資源の検索要求を携帯端末１の識別情報ｄ１と共にネットワーク通信部１５から認証管理サーバ３へと送信する（ステップＳ１０２）。
【００４３】
認証管理サーバ３では、データ資源の検索要求及び携帯端末１の識別情報ｄ１をネットワーク通信部３３で受信して制御部３１に入力する（ステップＳ３０１）。制御部３１は、識別情報ｄ１が携帯識別テーブルＴに登録されているか否かを判定し、識別情報ｄ１が携帯識別テーブルＴに登録されていれば、識別情報ｄ１が付されたファイルＦｉを検索し、このファイルＦｉから印刷データｐｄの名称やＵＲＬを読み出して、ファイルＦｉ内の印刷データｐｄの名称やＵＲＬの一覧を示す一覧データｄｇを作成し、この一覧データｄｇを携帯端末１の識別情報ｄ１と共にネットワーク通信部３３からクラウドネットワークＮを通じて携帯端末１へと送信する（ステップＳ３０２）。また、制御部３１は、識別情報ｄ１が携帯識別テーブルＴに登録されていなければ、ファイルＦｉの検索及び一覧データｄｇの作成や送信を行わない。
【００４４】
携帯端末１では、一覧データｄｇ及び識別情報ｄ１をネットワーク通信部１５で受信して制御部１１に入力する（ステップＳ１０３）。制御部１１は、識別情報ｄ１が自己の携帯端末１のものであるか否かを判定し、識別情報ｄ１が自己の携帯端末１のものであれば、一覧データｄｇによって示されるファイルＦｉ内の印刷データｐｄの名称やＵＲＬの一覧を表示部１２の画面に表示する（ステップＳ１０４）。また、制御部１１は、識別情報ｄ１が自己の携帯端末１のものでなければ、一覧データｄｇを破棄する。
【００４５】
そして、ファイルＦｉ内の印刷データｐｄの名称やＵＲＬの一覧が表示部１２の画面に表示されている状態で、携帯端末１の利用者は、携帯端末１の操作入力部１４を操作することによりその一覧における所望の印刷データｐｄの名称又はＵＲＬを指示する（ステップＳ１０５）。これに応答して制御部１１は、その指示された印刷データｐｄの名称又はＵＲＬ及び携帯端末１の識別情報ｄ１を示す印刷指示情報Ｊ１を生成し、近距離通信部１６を制御して、近距離通信部１６を回線ｎを通じて複合機２に接続し、印刷指示情報Ｊ１を近距離通信部１６から複合機２へと送信する（ステップＳ１０６）。
【００４６】
複合機２では、印刷指示情報Ｊ１を近距離通信部２８で受信して制御部２１に入力する（ステップＳ２０１）。制御部２１は、印刷データｐｄの名称又はＵＲＬ及び携帯端末１の識別情報ｄ１を印刷指示情報Ｊ１から抽出して、携帯端末１の識別情報ｄ１及び複合機２の識別情報ｄ２を示す応答情報Ｊ２を生成し、応答情報Ｊ２を近距離通信部２８から回線ｎを通じて携帯端末１へと送信する（ステップＳ２０２）。また、制御部２１は、印刷データｐｄの名称又はＵＲＬ、携帯端末１の識別情報ｄ１、及び複合機２の識別情報ｄ２を示す第２要求情報Ｋ２を生成し、ネットワーク通信部２７を制御して、ネットワーク通信部２７をクラウドネットワークＮを通じて認証管理サーバ３に接続し、第２要求情報Ｋ２をネットワーク通信部２７から認証管理サーバ３へと送信する（ステップＳ２０３）。
【００４７】
携帯端末１では、応答情報Ｊ２を近距離通信部１６で受信して制御部１１に入力する（ステップＳ１０７）。制御部１１は、携帯端末１の識別情報ｄ１及び複合機２の識別情報ｄ２を応答情報Ｊ２から抽出して、識別情報ｄ１が自己の携帯端末１のものであるか否かを判定し、識別情報ｄ１が自己の携帯端末１のものであれば、ステップＳ１０５で指示された印刷データｐｄの名称又はＵＲＬ、携帯端末１の識別情報ｄ１、及び複合機２の識別情報ｄ２を示す第１要求情報Ｋ１を生成し、第１要求情報Ｋ１をネットワーク通信部１５からクラウドネットワークＮを通じて認証管理サーバ３へと送信する（ステップＳ１０８）。また、制御部１１は、識別情報ｄ１が自己の携帯端末１のものでなければ、第１要求情報Ｋ１を生成せず送信することもない。
【００４８】
認証管理サーバ３では、第２要求情報Ｋ２をネットワーク通信部３３で受信して制御部３１に入力する（ステップＳ３０３）。制御部３１は、印刷データｐｄの名称又はＵＲＬ、携帯端末１の識別情報ｄ１、及び複合機２の識別情報ｄ２を第２要求情報Ｋ２から抽出し、携帯端末１の識別情報ｄ１が携帯識別テーブルＴに登録されているか否かを判定し、識別情報ｄ１が携帯識別テーブルＴに登録されていたならば、第２要求情報Ｋ２を取得する（ステップＳ３０４）。また、制御部３１は、識別情報ｄ１が携帯識別テーブルＴに登録されていなければ、第２要求情報Ｋ２を破棄する。
【００４９】
また、認証管理サーバ３では、第１要求情報Ｋ１をネットワーク通信部３３で受信して制御部３１に入力する（ステップＳ３０５）。制御部３１は、印刷データｐｄの名称又はＵＲＬ、携帯端末１の識別情報ｄ１、及び複合機２の識別情報ｄ２を第１要求情報Ｋ１から抽出し、携帯端末１の識別情報ｄ１が携帯識別テーブルＴに登録されているか否かを判定し、識別情報ｄ１が携帯識別テーブルＴに登録されていたならば、第１要求情報Ｋ１を取得する（ステップＳ３０６）。また、制御部３１は、識別情報ｄ１が携帯識別テーブルＴに登録されていなければ、第１要求情報Ｋ１を破棄する。
【００５０】
そして、制御部３１の比較認証部３１ａは、第１要求情報Ｋ１から抽出した携帯端末１の識別情報ｄ１と第２要求情報Ｋ２から抽出した携帯端末１の識別情報ｄ１とを照合し、両者の識別情報ｄ１が一致するか否かを判定する（ステップＳ３０７）。例えば、両者の識別情報ｄ１が一致したならば（ステップＳ３０７で「Ｙｅｓ」）、制御部３１のデータ検索部３１ｂは、第１要求情報Ｋ１及び第２要求情報Ｋ２から抽出した印刷データｐｄの名称又はＵＲＬに基づきファイルＦｉを検索して、ファイルＦｉから印刷データｐｄを読み出して取得したり、ファイルＦｉからＵＲＬを読み出して、ネットワーク通信部３３を通じてクラウドネットワークＮ上のＵＲＬに対応するファイル（図示せず）を検索し、このファイルから印刷データｐｄを読み出して取得したりする。制御部３１は、印刷データｐｄを取得すると、印刷データｐｄ及び複合機２の識別情報ｄ２をネットワーク通信部３３からクラウドネットワークＮを通じて複合機２へと送信する（ステップＳ３０８）。
【００５１】
また、制御部３１は、両者の識別情報ｄ１が一致しなければ（ステップＳ３０７で「Ｎｏ」、エラー通知及び複合機２の識別情報ｄ２をネットワーク通信部３３からクラウドネットワークＮを通じて複合機２へと送信して（ステップＳ３０９）、処理を終了する。
【００５２】
複合機２では、印刷データｐｄ及び識別情報ｄ２又はエラー通知及び複合機２の識別情報ｄ２の受信を待機しており（ステップＳ２０４、Ｓ２０６）、印刷データｐｄ及び識別情報ｄ２をネットワーク通信部２７で受信すると（ステップＳ２０４で「Ｙｅｓ」）、印刷データｐｄを記憶部２３に記憶し、識別情報ｄ２を制御部２１に入力する。制御部２１は、識別情報ｄ２が自己の複合機２のものであるか否かを判定し、識別情報ｄ２が自己の複合機２のものであれば、印刷部２５を制御して、記憶部２３内の印刷データｐｄを記録用紙に印刷して出力する（ステップＳ２０５）。また、制御部２１は、識別情報ｄ２が自己の複合機２のものでなければ、印刷データｐｄを破棄する。尚、印刷データｐｄを記録用紙に印刷して出力するだけではなく、印刷データｐｄをＵＳＢメモリ等の携帯メモリに出力したり、回線ｎを通じて携帯端末１に出力したり、クラウドネットワークＮを通じてＰＣ等の端末装置に出力しても構わない。
【００５３】
また、エラー通知及び複合機２の識別情報ｄ２をネットワーク通信部２７で受信すると（ステップＳ２０６で「Ｙｅｓ」）、エラー通知及び複合機２の識別情報ｄ２を制御部２１に入力する。制御部２１は、識別情報ｄ２が自己の複合機２のものであるか否かを判定し、識別情報ｄ２が自己の複合機２のものであれば、エラー通知を表示部２２の画面に表示して（ステップＳ２０７）、処理を終了する。また、識別情報ｄ２が自己の複合機２のものでなければ、エラー通知を破棄する。
【００５４】
このように第１実施形態では、認証管理サーバ３から複合機２への印刷データｐｄの送受に先立ち、携帯端末１から回線ｎを通じて複合機２へと携帯端末１の識別情報ｄ１を示す印刷指示情報Ｊ１を送受し、複合機２で印刷指示情報Ｊ１から携帯端末１の識別情報ｄ１を抽出して、携帯端末１の識別情報ｄ１等を示す第２要求情報Ｋ２を生成し、複合機２からクラウドネットワークＮを通じて認証管理サーバ３へと第２要求情報Ｋ２を送受し、また携帯端末１で該携帯端末１の識別情報ｄ１等を示す第１要求情報Ｋ１を生成し、携帯端末１からクラウドネットワークＮを通じて認証管理サーバ３へと第１要求情報Ｋ１を送受し、認証管理サーバ３で第１要求情報Ｋ１から抽出した識別情報ｄ１と第２要求情報Ｋ２から抽出した識別情報ｄ１とを照合して、両者の識別情報ｄ１が一致するときにだけ、認証管理サーバ３からクラウドネットワークＮを通じて複合機２へと印刷データｐｄを送受して、複合機２で印刷データｐｄを記録用紙に印刷して出力している。
【００５５】
従って、認証管理サーバ３は、携帯端末１からの第１要求情報Ｋ１と複合機２からの第２要求情報Ｋ２とを受信して照合することができなければ、印刷データｐｄを複合機２に送信することはなく、第１要求情報Ｋ１から抽出した識別情報ｄ１と第２要求情報Ｋ２から抽出した識別情報ｄ１とが一致しなくも、印刷データｐｄを複合機２に送信することはい。これにより、印刷データｐｄの機密性が保持される。また、利用者が携帯端末１を紛失して、携帯端末１の利用を中止した場合は、第１要求情報Ｋ１が携帯端末１からクラウドネットワークＮを通じて認証管理サーバ３へと送受されることはなく、印刷データｐｄが認証管理サーバ３からクラウドネットワークＮを通じて複合機２へと送受されることもなく、印刷データｐｄの機密性が保持される。更に、ＧＰＳ受信機を利用しなくても、携帯端末１周辺の複合機２で印刷データｐｄを印刷出力することができる。
【００５６】
次に、本発明のクラウドプリンティングシステムの第２実施形態を説明する。第２実施形態のクラウドプリンティングシステムは、図１と同様に携帯端末１、複合機２、及び認証管理サーバ３を構成して、それらをクラウドネットワークＮを通じて接続し、また図２と同様に認証管理サーバ３のデータベースＤを構成したものであるが、携帯端末１での処理及び複合機２での処理が第１実施形態とは異なる。
【００５７】
第２実施形態における携帯端末１での処理及び複合機２での処理とは、概ね、携帯端末１と複合機２との間の回線ｎを遮断せずに保持しておき、印刷データｐｄの印刷が終了する以前に回線ｎが外的要因により遮断されたならば、携帯端末１の利用者が複合機２から遠く離れたものとみなして、印刷データｐｄの受信又は印刷を中止するというものである。
【００５８】
図４は、第２実施形態において複合機２に対するデータ供給の要求が携帯端末１より出されてからデータが認証管理サーバ３より複合機２へと送受されて供給されるまでの手順を示すフローチャートである。尚、図４において、図３と同様の処理を行うステップには同じ符号を付す。
【００５９】
まず、携帯端末１では、利用者により操作入力部１４が操作されて、データ資源を検索して印刷出力するためのアプリケーションプログラムが起動され（ステップＳ１０１）、クラウドネットワークＮ上のデータ資源の検索要求がネットワーク通信部１５からクラウドネットワークＮを通じて認証管理サーバ３へと送信される（ステップＳ１０２）。
【００６０】
認証管理サーバ３では、データ資源の検索要求が受信されると（ステップＳ３０１）、ファイルＦｉ内の印刷データｐｄの名称やＵＲＬの一覧を示す一覧データｄｇが作成されて、一覧データｄｇがネットワーク通信部３３からクラウドネットワークＮを通じて携帯端末１へと送信される（ステップＳ３０２）。
【００６１】
携帯端末１では、一覧データｄｇがネットワーク通信部１５で受信されて（ステップＳ１０３）、一覧データｄｇによって示されるファイルＦｉ内の印刷データｐｄの名称やＵＲＬの一覧が表示部１２の画面に表示される（ステップＳ１０４）。
【００６２】
そして、携帯端末１では、その一覧における所望の印刷データｐｄの名称又はＵＲＬが指示され（ステップＳ１０５）、その指示された印刷データｐｄの名称又はＵＲＬ及び携帯端末１の識別情報ｄ１を示す印刷指示情報Ｊ１が近距離通信部１６から回線ｎを通じて複合機２へと送信される（ステップＳ１０６）。以降、携帯端末１では、近距離通信部１６を制御して、複合機２に接続されている回線ｎを遮断せずに保持して、回線ｎを通じての複合機２とのデータ通信が可能な状態が維持される（ステップＳ１２１）。
【００６３】
複合機２では、印刷指示情報Ｊ１が回線ｎを通じて近距離通信部２８で受信され（ステップＳ２０１）、印刷データｐｄの名称又はＵＲＬ及び携帯端末１の識別情報ｄ１が印刷指示情報Ｊ１から抽出されて、携帯端末１の識別情報ｄ１及び複合機２の識別情報ｄ２を示す応答情報Ｊ２が近距離通信部２８から回線ｎを通じて携帯端末１へと送信される（ステップＳ２０２）。以降、複合機２では、近距離通信部２８を制御して、携帯端末１に接続されている回線ｎを遮断せずに保持して、回線ｎを通じての携帯端末１とのデータ通信が可能な状態が維持される（ステップＳ２２１）。
【００６４】
また、複合機２では、印刷データｐｄの名称又はＵＲＬ、携帯端末１の識別情報ｄ１、及び複合機２の識別情報ｄ２を示す第２要求情報Ｋ２が作成されて、第２要求情報Ｋ２がネットワーク通信部２７からクラウドネットワークＮを通じて認証管理サーバ３へと送信される（ステップＳ２０３）。
【００６５】
携帯端末１では、応答情報Ｊ２が回線ｎを通じて近距離通信部１６で受信されると（ステップＳ１０７）、携帯端末１の識別情報ｄ１及び複合機２の識別情報ｄ２が応答情報Ｊ２から抽出されて、印刷データｐｄの名称又はＵＲＬ、携帯端末１の識別情報ｄ１、及び複合機２の識別情報ｄ２を示す第１要求情報Ｋ１がネットワーク通信部１５からクラウドネットワークＮを通じて認証管理サーバ３へと送信される（ステップＳ１０８）。
【００６６】
認証管理サーバ３では、第１要求情報Ｋ１及び第２要求情報Ｋ２が受信されると、第１要求情報Ｋ１の識別情報ｄ１と第２要求情報Ｋ２の識別情報ｄ１とが照合され、両者の識別情報ｄ１が一致すると、印刷データｐｄがクラウドネットワークＮを通じて複合機２へと送信され、また両者の識別情報ｄ１が一致しなければ、エラー通知がクラウドネットワークＮを通じて複合機２へと送信される（ステップＳ３０３〜Ｓ３０９）。
【００６７】
このとき、複合機２は、印刷データｐｄ又はエラー通知の受信待機状態となっている。制御部２１は、印刷データｐｄ又はエラー通知の受信を待機しながらも（ステップＳ２０４、Ｓ２０６）、印刷データｐｄが受信される以前に、回線ｎが遮断されたか否かを判定しており（ステップＳ２２２）、回線ｎが遮断されずに保持され続けている状態で（ステップＳ２２２で「Ｎｏ」）、印刷データｐｄがクラウドネットワークＮを通じて受信されると（ステップＳ２０４で「Ｙｅｓ」）、印刷データｐｄを記憶部２３に記憶して、印刷データｐｄを記録用紙に印刷する（ステップＳ２０５）。そして、制御部２１は、印刷データｐｄの印刷が終了すると、近距離通信部１６を制御して、携帯端末１と複合機２との間の回線ｎを遮断する（ステップＳ２２４）。
【００６８】
また、制御部２１は、エラー通知がクラウドネットワークＮを通じて受信されると（ステップＳ２０６で「Ｙｅｓ」）、エラー通知を表示部２２の画面に表示する（ステップＳ２０７）。
【００６９】
更に、制御部２１は、印刷データｐｄ又はエラー通知が受信される以前に、回線ｎが遮断されたならば（ステップＳ２２２で「Ｙｅｓ」）、ネットワーク通信部２７を制御して、クラウドネットワークＮを通じての印刷データｐｄの受信を中止する（ステップＳ２２３）。
【００７０】
このように第２実施形態では、回線ｎを通じて携帯端末１と複合機２との間で印刷指示情報Ｊ１及び応答情報Ｊ２が送受されてから、複合機２で印刷データｐｄが受信されるまでは、回線ｎを遮断せずに保持し続け、印刷データｐｄが受信される以前に回線ｎが遮断されたならば、クラウドネットワークＮを通じての印刷データｐｄの受信を中止している。
【００７１】
このため、回線ｎが遮断されるほど携帯端末１の利用者が複合機２から遠く離れて、その利用者が複合機２で印刷された記録用紙を直ちに取得することができないような状況になったときには、印刷データｐｄの受信が中止されることとなり、印刷データｐｄの機密性が保持される。
【００７２】
尚、印刷データｐｄの印刷が終了する以前に、回線ｎが遮断されたか否かを判定して、回線ｎが遮断されずに保持され続けているならば、印刷データｐｄの印刷を継続し、また印刷データｐｄの印刷が終了する以前に、回線ｎが遮断されたならば、印刷データｐｄの印刷を直ちに中止してもよい。
【００７３】
次に、本発明のクラウドプリンティングシステムの第３実施形態を説明する。第３実施形態のクラウドプリンティングシステムは、図１と同様に携帯端末１、複合機２、及び認証管理サーバ３を構成して、それらをクラウドネットワークＮを通じて接続し、また図２と同様に認証管理サーバ３のデータベースＤを構成したものであるが、複合機２での処理及び認証管理サーバ３での処理が第１実施形態とは異なる。
【００７４】
第３実施形態における複合機２での処理及び認証管理サーバ３での処理とは、概ね、認証管理サーバ３が携端末１からの第１要求情報Ｋ１を受信することができなかった場合は、利用者が携帯端末１を紛失して、携帯端末１の利用が中止されているにもかかわらず、他の人がその携帯端末１を操作して、複合機２に対して印刷データｐｄの印刷及び出力を不正に要求しているものとみなし、携帯端末１の不正利用を利用者に報知するというものである。
【００７５】
図５は、第３実施形態において複合機２に対するデータ供給の要求が携帯端末１より出されてからデータが認証管理サーバ３より複合機２へと送受されて供給されるまでの手順を示すフローチャートである。尚、図５において、図３と同様の処理を行うステップには同じ符号を付す。
【００７６】
ここでは、携帯端末１は、その利用が中止されているものとする。この場合、携帯端末１により公衆電話回線を含むクラウドネットワークＮを利用することはできず、携帯端末１と認証管理サーバ３との間でデータ通信を行うことはできない。ただし、携帯端末１によるＷｉＦｉ等からなる回線ｎの利用が可能であるため、携帯端末１と複合機２との間ではデータ通信を行うことができる。
【００７７】
従って、携帯端末１では、クラウドネットワークＮ上のデータ資源を検索して印刷出力するためのアプリケーションプログラムを起動しても、ファイルＦｉ内の印刷データｐｄの名称やＵＲＬの一覧を示す一覧データｄｇを認証管理サーバ３に対して要求することができず、一覧データｄｇを受信入力することもできない。
【００７８】
しかしながら、携帯端末１の利用が中止される以前に、一覧データｄｇが受信されて記憶部１３に記憶されていたならば、そのアプリケーションプログラムを起動した上で（ステップＳ１０１）、一覧データｄｇを記憶部１３から読み出して、一覧データｄｇによって示されるファイルＦｉ内の印刷データｐｄの名称やＵＲＬの一覧を表示部１２の画面に表示することができる（ステップＳ１０４）。そして、操作入力部１４を操作することによりその一覧における所望の印刷データｐｄの名称又はＵＲＬを指示して（ステップＳ１０５）、その指示された印刷データｐｄの名称又はＵＲＬ等を示す印刷指示情報Ｊ１を近距離通信部１６から回線ｎを通じて複合機２へと送信することができる（ステップＳ１０６）。
【００７９】
複合機２では、印刷指示情報Ｊ１が近距離通信部２８で受信されて（ステップＳ２０１）、複合機２の識別情報ｄ２等を示す応答情報Ｊ２が近距離通信部２８から回線ｎを通じて携帯端末１へと送信される（ステップＳ２０２）。また、印刷データｐｄの名称又はＵＲＬ等を示す第２要求情報Ｋ２がネットワーク通信部２７からクラウドネットワークＮを通じて認証管理サーバ３へと送信される（ステップＳ２０３）。
【００８０】
携帯端末１では、応答情報Ｊ２が近距離通信部１６で受信されると（ステップＳ１０７）、印刷データｐｄの名称又はＵＲＬ、携帯端末１の識別情報ｄ１、及び複合機２の識別情報ｄ２を示す第１要求情報Ｋ１が作成され、第１要求情報Ｋ１をネットワーク通信部２７から認証管理サーバ３へと送信するための通信処理が行われる（ステップＳ１０８）。しかしながら、携帯端末１の利用が中止されているため、第１要求情報Ｋ１が携帯端末１から認証管理サーバ３へと送受されることはない。
【００８１】
従って、認証管理サーバ３では、第２要求情報Ｋ２がネットワーク通信部３３で受信されても（ステップＳ３０３、Ｓ３０４）、第１要求情報Ｋ１がネットワーク通信部３３で受信されることはない。制御部３１は、ステップＳ３０３における第２要求情報Ｋ２の受信時点から所定時間の経時を開始して、所定時間が経過するまでに第１要求情報Ｋ１が受信されたか否かを判定しており（ステップＳ３３１）、第１要求情報Ｋ１が受信されないため（ステップＳ３３１で「Ｎｏ」）、不通通知をネットワーク通信部３３からクラウドネットワークＮを通じて複合機２へと送信して（ステップＳ３３２）、処理を終了する。
【００８２】
複合機２では、印刷データｐｄ、エラー通知、又は不通通知の受信待機状態となっており（ステップＳ２０４、Ｓ２０６、Ｓ２３１）、印刷データｐｄ及びエラー通知のいずれも受信されずに（ステップＳ２０４で「Ｎｏ」、Ｓ２０６で「Ｎｏ」）、不通通知がネットワーク通信部２７で受信される（ステップＳ２３１で「Ｙｅｓ」）。制御部２１は、不通通知を入力すると、携帯端末１が不正利用されているものとみなし、回線ｎを通じて携帯端末１と複合機２との間でデータ通信を行って、携帯端末１の情報を携帯端末１の記憶部１３から複合機２の記憶部２３へとロードする。そして、制御部２１は、携帯端末１の情報を用いて、携帯端末１の利用者に対して携帯端末１の不正利用を通知する（ステップＳ２３２）。例えば、携帯端末１から複合機２へとロードした情報に利用者のＥメールアドレスが含まれていたならば、制御部２１は、そのロードした情報からＥメールアドレスを抽出して、携帯端末１の不正利用及び複合機２の位置情報（携帯端末１の概ねの位置）を示すＥメールを作成し、このＥメールをそのＥメールアドレスを宛先としてネットワーク通信部２７からクラウドネットワークＮへと送信する。あるいは、携帯端末１の識別情報ｄ１及び複合機２の位置情報を複合機２からクラウドネットワークＮを通じて該携帯端末１の電話局のサーバに送信し、電話局のサーバ側で携帯端末１の識別情報ｄ１に基づき該携帯端末１の利用者を特定して、携帯端末１の不正利用及び複合機２の位置情報をその利用者に知らせてもよい。
【００８３】
また、携帯端末１の不正利用を複合機２から通知するのではなく、認証管理サーバ３から通知することも可能である。この場合は、認証管理サーバ３の記憶部３２内のデータベースＤに、携帯端末１の利用者のＥメールアドレスを該携帯端末１の識別情報ｄ１に対応付けて登録し、また複数の複合機２の位置情報を該各複合機２の識別情報ｄ２に対応付けて登録しておく。そして、制御部２１は、第２要求情報Ｋ２の受信時点から所定時間が経過するまでに第１要求情報Ｋ１が受信されなければ、第２要求情報Ｋ２から携帯端末１の識別情報ｄ１及び複合機２の識別情報ｄ２を抽出して、携帯端末１の識別情報ｄ１に対応する利用者のＥメールアドレス及び複合機２の識別情報ｄ２に対応する該複合機２の位置情報をデータベースＤから検索し、携帯端末１の不正利用及び複合機２の位置情報（携帯端末１の概ねの位置）を示すＥメールを作成し、このＥメールをそのＥメールアドレスを宛先としてネットワーク通信部２７からクラウドネットワークＮへと送信する。
【００８４】
尚、携帯端末１の利用が中止されていなければ、第１要求情報Ｋ１が携帯端末１から認証管理サーバ３へと送信されることから、認証管理サーバ３では、第１要求情報Ｋ１が受信されて（ステップＳ３３１で「Ｙｅｓ」）、ステップＳ３０６以降の処理に移り、印刷データｐｄ又はエラー通知が複合機２に送信される。複合機２では、印刷データｐｄが受信されると（ステップＳ２０４で「Ｙｅｓ」）、印刷データｐｄが印刷され（ステップＳ２０５）、またエラー通知が受信される（ステップＳ２０６で「Ｙｅｓ」）、エラー通知が表示される（ステップＳ２０７）。
【００８５】
このように第３実施形態では、認証管理サーバ３が複合機２からの第２要求情報Ｋ２を受信することができても、認証管理サーバ３が携端末１からの第１要求情報Ｋ１を受信することができなかった場合は、携帯端末１が不正利用されているものとみなし、携帯端末１の不正利用及び複合機２の位置情報を携帯端末１の利用者に通知しているので、その利用者は、携帯端末１の不正利用及び複合機２の位置（携帯端末１の概ねの位置）を知ることができる。
【００８６】
尚、本発明は、上記第１乃至第３実施形態に限定されるものではなく、多様に変形することができる。例えば、上記第１乃至第３実施形態を適宜に組み合わせてもよい。
【００８７】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００８８】
１  携帯端末
２  複合機（画像形成装置）
３  認証管理サーバ（サーバ）
１１  制御部（第１制御部）
１２  表示部
１３  記憶部
１４  操作入力部
１５  ネットワーク通信部（第１ネットワーク通信部）
１６  近距離通信部（第１回線通信部）
２１  制御部（第２制御部）
２２  表示部
２３  記憶部
２４  操作入力部
２５  印刷部
２６  画像読取り部
２７  ネットワーク通信部（第２ネットワーク通信部）
２８  近距離通信部（第２回線通信部）
３１  制御部（第３制御部）
３１ａ  比較認証部
３１ｂ  データ検索部
３２  記憶部
３３  ネットワーク通信部（第３ネットワーク通信部）
Ｄ  データベース
Ｆｉ  ファイル
Ｊ１  印刷指示情報
Ｊ２  応答情報
Ｋ１  第１要求情報
Ｋ２  第２要求情報
Ｎ  クラウドネットワーク（ネットワーク）
Ｓｙ  クラウドプリンティングシステム
Ｔ  携帯識別テーブル
ｄ１、ｄ２  識別情報
ｎ  回線
ｐｄ  印刷データ
【図１】
2015114904.tif 000003
【図２】
2015114904.tif 000004
【図３】
2015114904.tif 000005
【図４】
2015114904.tif 000006
【図５】
2015114904.tif 000007